(57)【要約】【課題】移動局は、共通ＡＧを受信した後、指定されたＨＡＲＱプロセスを用いて、上りユーザデータの送信を開始することにより、干渉電力を分散させて無線回線容量の増大を実現する。【解決手段】本発明に係る伝送速度制御方法は、所定セルに在圏する移動局から無線基地局に対する上りユーザデータの伝送速度を制御する伝送速度制御方法であって、無線基地局が、移動局に対して絶対伝送速度制御チャネルを介して送信する共通絶対伝送速度制御信号を用いてエンハンスト個別物理データチャネルの個別物理制御チャネルに対する送信電力オフセットを通知する工程と、移動局が、共通絶対伝送速度制御信号を受信した後、指定された一部のＨＡＲＱプロセスを用いて、通知された前記送信電力オフセットに基づいて、上りユーザデータを送信する工程とを有する。【選択図】  図１０
2006345502.tif 000002
【特許請求の範囲】
【請求項１】
所定セルに在圏する移動局から無線基地局に対する上りユーザデータの伝送速度を制御する伝送速度制御方法であって、
前記無線基地局が、前記移動局に対して、絶対伝送速度制御チャネルを介して送信する共通絶対伝送速度制御信号を用いて、エンハンスト個別物理データチャネルの個別物理制御チャネルに対する送信電力オフセットを通知する工程と、
前記移動局が、前記共通絶対伝送速度制御信号を受信した後、指定された一部のＨＡＲＱプロセスを用いて、通知された前記送信電力オフセットに基づいて、前記上りユーザデータを送信する工程とを有することを特徴とする伝送速度制御方法。
【請求項２】
前記一部のＨＡＲＱプロセスは、無線回線制御局によって通知されることを特徴とする請求項１に記載の伝送速度制御方法。
【請求項３】
上りユーザデータの伝送速度を制御する移動局であって、
無線基地局から、所定セルに在圏する移動局に対して送信された絶対伝送速度制御チャネルを介して、エンハンスト個別物理データチャネルの個別物理制御チャネルに対する送信電力オフセットに関する情報を含む共通絶対伝送速度制御信号を受信する受信部と、
前記共通絶対伝送速度制御信号を受信した後、指定された一部のＨＡＲＱプロセスを用いて、通知された前記送信電力オフセットに基づいて、前記上りユーザデータを送信する送信部とを具備することを特徴とする移動局。
【請求項４】
前記一部のＨＡＲＱプロセスは、無線回線制御局によって通知されることを特徴とする請求項３に記載の移動局。
【請求項５】
所定セルに在圏する移動局から無線基地局に対する上りユーザデータの伝送速度を制御する伝送速度制御方法で用いられる無線回線制御局であって、
前記移動局が、無線基地局から絶対伝送速度制御チャネルを介して共通絶対伝送速度制御信号を受信した後、エンハンスト個別物理データチャネルの個別物理制御チャネルに対する送信電力オフセットに基づいて前記上りユーザデータを送信する一部のＨＡＲＱプロセスを通知する通知部を具備することを特徴とする無線回線制御局。
【発明の詳細な説明】
【技術分野】
【０００１】
本発明は、伝送速度制御方法、移動局及び無線回線制御局に関する。
【背景技術】
【０００２】
上り回線エンハンスメント（ＥＵＬ）において、セルに在圏する全ての移動局が同じＩＤ（共通ＩＤ）を持って受信を行う共通絶対値伝送速度制御信号（共通ＡＧ：Ｃｏｍｍｏｎ  Ａｂｓｏｌｕｔｅ  Ｇｒａｎｔ）と、各移動局が異なるＩＤを持って受信を行う個別絶対値伝送速度制御信号（個別ＡＧ：Ｄｅｄｉｃａｔｅｄ  Ａｂｓｏｌｕｔｅ  Ｇｒａｎｔ）の２つのＡＧを用いて共通伝送速度制御及び個別伝送速度制御の双方を行うことが出来る伝送速度制御方法が提案されている（例えば、非特許文献１）。
【０００３】
ＡＧは、絶対値伝送速度制御チャネル（Ｅ-ＡＧＣＨ：Ｅ-ＤＣＨ  ＡＧ  Ｃｈａｎｎｅｌ）を介して無線基地局から移動局に送信され、共通ＡＧ及び個別ＡＧは、異なるＥ-ＡＧＣＨにマッピングされてもよく、同一のＥ-ＡＧＣＨにマッピングされてもよい。
【０００４】
一方、非特許文献２にあるように、Ｅ-ＤＣＨの送信時間幅(以下、ＴＴＩ：Ｔｒａｎｓｍｉｓｓｉｏｎ  Ｔｉｍｅ  Ｉｎｔｅｒｖａｌ)は、２ｍｓと１０ｍｓから選択することが出来る。
【０００５】
２ｍｓとすることで、より細かなスケジューリングが可能になる一方で、１０ｍｓとすることで、下り送信電力を少なくして下り容量へのインパクトを小さくできる。
【０００６】
すなわち、Ｅ-ＤＣＨのＴＴＩが２ｍｓの場合には、ＥＵＬに関連する下りリンクにおけるレイヤ１チャネル（Ｅ-ＡＧＣＨ/Ｅ-ＲＧＣＨ/Ｅ-ＨＩＣＨ）のフレーム長は２ｍｓであり、Ｅ-ＤＣＨのＴＴＩが１０ｍｓの場合には、ＥＵＬに関連するＥ-ＡＧＣＨのフレーム長は１０ｍｓであり、ＥＵＬに関連するＥ-ＲＧＣＨ/Ｅ-ＨＩＣＨ）のフレーム長は８ｍｓである。
【０００７】
したがって、Ｅ-ＤＣＨのＴＴＩを１０ｍｓとすると、上述の下りリンクにおけるレイヤ１チャネルを送信する頻度が減ることになり、下り容量へのインパクトが小さくなる。
【０００８】
伝送速度制御は、非特許文献２にあるように、無線基地局が、送信電力オフセット（Ｅ-ＤＰＤＣＨ送信電力/ＤＰＣＣＨ送信電力、すなわち、エンハンスト個別物理データチャネルの個別物理制御チャネルに対する送信電力オフセット）をＡＧによって指定し、移動局が、受信したＡＧが示す送信電力オフセットと送信データブロックサイズ（ＴＢＳ：Ｔｒａｎｓｐｏｒｔ  Ｂｌｏｃｋ  Ｓｉｚｅ）との対応表に基づいて、上りユーザデータを送信するためのＴＢＳを決定するという方法が用いられることがある。
【０００９】
この場合、共通ＡＧを用いてＴＴＩの異なるＥ-ＤＣＨを制御する場合には、以下のような問題が生じうる。
【００１０】
ここで、Ｅ-ＤＣＨのＴＴＩが１０ｍｓと２ｍｓの２通りをとり、最小のＴＢＳが２００ビットであり、かつ、共通ＡＧを介してスケジュール信号として６０ｋｂｐｓに対応する送信電力オフセットが通知された場合の例について検討する。
【００１１】
このとき、Ｅ-ＤＣＨのＴＴＩが１０ｍｓの場合には、移動局は、各ＴＴＩ（各ＨＡＲＱプロセス）において６００ビット（＝６０ｋｂｐｓ×１０ｍｓ）の上りユーザデータを送信することができるが、Ｅ-ＤＣＨのＴＴＩが２ｍｓの場合には、各ＴＴＩ（各ＨＡＲＱプロセス）において送信可能なデータ量が１２０ビット（＝６０ｋｂｐｓ×２ｍｓ）で最小のＴＢＳ（２００ビット）に達しないため、移動局は、かかるＴＴＩ（各ＨＡＲＱプロセス）において上りユーザデータを送信することができない。
【００１２】
この場合、使用するＨＡＲＱプロセスを限定して、上りユーザデータを送信する方法が考えられる。
【００１３】
例えば、使用するＨＡＲＱプロセスを１つに限定して、その代わりに、送信電力オフセットをＮ倍（Ｎは、最大のＨＡＲＱプロセス数）とすることで、上りユーザデータの送信を可能とする方法が考えられる。
【００１４】
具体的には、移動局は、共通ＡＧを受信するタイミングに対応するＨＡＲＱプロセスを用いて、Ｎ倍の送信電力オフセットで、上りユーザデータを送信する方法が考えられる。
【非特許文献１】３ＧＰＰ  ＴＳＧ-ＲＡＮ  Ｒ２-０５０９２９
【非特許文献２】３ＧＰＰ  ＴＳＧ-ＲＡＮ  ＴＳ.３０９  ｖ６.２.０
【発明の開示】
【発明が解決しようとする課題】
【００１５】
しかしながら、かかる方法では、全ての移動局で、共通ＡＧを受信するタイミングが、ほぼ同時になるため、かかるタイミングに対応するＨＡＲＱプロセスの時間区間だけ干渉電力が増大してしまうという問題点があった。
【００１６】
そこで、本発明は、以上の点に鑑みてなされたもので、移動局は、共通ＡＧを受信した後、指定されたＨＡＲＱプロセスを用いて、上りユーザデータの送信を開始することにより、干渉電力を分散させて無線回線容量の増大を実現することができる伝送速度制御方法、移動局及び無線回線制御局を提供することを目的とする。
【課題を解決するための手段】
【００１７】
本発明の第１の特徴は、所定セルに在圏する移動局から無線基地局に対する上りユーザデータの伝送速度を制御する伝送速度制御方法であって、前記無線基地局が、前記移動局に対して、絶対伝送速度制御チャネルを介して送信する共通絶対伝送速度制御信号を用いて、エンハンスト個別物理データチャネルの個別物理制御チャネルに対する送信電力オフセットを通知する工程と、前記移動局が、前記共通絶対伝送速度制御信号を受信した後、指定された一部のＨＡＲＱプロセスを用いて、通知された前記送信電力オフセットに基づいて、前記上りユーザデータを送信する工程とを有することを要旨とする。
【００１８】
本発明の第１の特徴において、前記一部のＨＡＲＱプロセスは、無線回線制御局によって通知されてもよい。
【００１９】
本発明の第２の特徴は、上りユーザデータの伝送速度を制御する移動局であって、無線基地局から、所定セルに在圏する移動局に対して送信された絶対伝送速度制御チャネルを介して、エンハンスト個別物理データチャネルの個別物理制御チャネルに対する送信電力オフセットに関する情報を含む共通絶対伝送速度制御信号を受信する受信部と、前記共通絶対伝送速度制御信号を受信した後、指定された一部のＨＡＲＱプロセスを用いて、通知された前記送信電力オフセットに基づいて、前記上りユーザデータを送信する送信部とを具備することを要旨とする。
【００２０】
本発明の第２の特徴において、前記一部のＨＡＲＱプロセスは、無線回線制御局によって通知されてもよい。
【００２１】
本発明の第３の特徴は、所定セルに在圏する移動局から無線基地局に対する上りユーザデータの伝送速度を制御する伝送速度制御方法で用いられる無線回線制御局であって、前記移動局が、無線基地局から絶対伝送速度制御チャネルを介して共通絶対伝送速度制御信号を受信した後、エンハンスト個別物理データチャネルの個別物理制御チャネルに対する送信電力オフセットに基づいて前記上りユーザデータを送信する一部のＨＡＲＱプロセスを通知する通知部を具備することを要旨とする。
【発明の効果】
【００２２】
以上説明したように、本発明によれば、移動局は、共通ＡＧを受信した後、指定されたＨＡＲＱプロセスを用いて、上りユーザデータの送信を開始することにより、干渉電力を分散させて無線回線容量の増大を実現することができる伝送速度制御方法、移動局及び無線回線制御局を提供することができる。
【発明を実施するための最良の形態】
【００２３】
（本発明の第１の実施形態に係る移動通信システム）
図１乃至図８を参照して、本発明の第１の実施形態に係る移動通信システムの構成について説明する。なお、本実施形態に係る移動通信システムは、図１０に示すように、複数の無線基地局ＮｏｄｅＢ＃１乃至＃５と、無線回線制御局ＲＮＣとを具備している。
【００２４】
本実施形態に係る移動通信システムは、所定セルに在圏する移動局から無線基地局に対する上りユーザデータの伝送速度を制御するように構成されている。
【００２５】
また、本実施形態に係る移動通信システムでは、下りリンクにおいて「ＨＳＤＰＡ」が用いられており、上りリンクにおいて「ＥＵＬ（上り回線エンハンスメント）」が用いられている。なお、「ＨＳＤＰＡ」及び「ＥＵＬ」において、ＨＡＲＱによる再送制御（Ｎプロセスストップアンドウエイト）が行われるものとする。
【００２６】
したがって、上りリンクにおいて、エンハンスト個別物理データチャネル（Ｅ-ＤＰＤＣＨ）及びエンハンスト個別物理制御チャネル（Ｅ-ＤＰＣＣＨ）から構成されるエンハンスト個別物理チャネル（Ｅ-ＤＰＣＨ）と、個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）及び個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）から構成される個別物理チャネル（ＤＰＣＨ）とが用いられている。
【００２７】
ここで、エンハンスト個別物理制御チャネル（Ｅ-ＤＰＣＣＨ）は、Ｅ-ＤＰＤＣＨの送信フォーマット（送信ブロックサイズ等）を規定するための送信フォーマット番号や、ＨＡＲＱに関する情報（再送回数等）や、スケジューリングに関する情報（移動局ＵＥにおける送信電力やバッファ滞留量等）等のＥＵＬ用制御データを送信する。
【００２８】
また、エンハンスト個別物理データチャネル（Ｅ-ＤＰＤＣＨ）は、エンハンスト個別物理制御チャネル（Ｅ-ＤＰＣＣＨ）にマッピングされており、当該エンハンスト個別物理制御チャネル（Ｅ-ＤＰＣＣＨ）で送信されるＥＵＬ用制御データに基づいて、移動局ＵＥ用のユーザデータを送信する。
【００２９】
個別物理制御チャネル（ＤＰＣＣＨ）は、ＲＡＫＥ合成やＳＩＲ測定等に用いられるパイロットシンボルや、上り個別物理データチャネル（ＤＰＤＣＨ）の送信フォーマットを識別するためのＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）や、下りリンクにおける送信電力制御ビット等の制御データを送信する。
【００３０】
また、個別物理データチャネル（ＤＰＤＣＨ）は、個別物理制御チャネル（ＤＰＣＣＨ）にマッピングされており、当該個別物理制御チャネル（ＤＰＣＣＨ）で送信される制御データに基づいて、移動局ＵＥ用のユーザデータを送信する。ただし、移動局ＵＥにおいて送信すべきユーザデータが存在しない場合には、個別物理データチャネル（ＤＰＤＣＨ）は送信されないように構成されていてもよい。
【００３１】
また、上りリンクでは、ＨＳＰＤＡが適用されている場合に必要な高速個別物理制御チャネル（ＨＳ-ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）や、ランダムアクセスチャネル（ＲＡＣＨ）も用いられている。
【００３２】
高速個別物理制御チャネル（ＨＳ-ＤＰＣＣＨ）は、下り品質識別子（ＣＱＩ：Ｃｈａｎｎｅｌ  Ｑｕａｌｉｔｙ  Ｉｎｄｉｃａｔｏｒ）や、高速個別物理データチャネル用送達確認信号（Ａｃｋ又はＮａｃｋ）を送信する。
【００３３】
図１に示すように、本実施形態に係る移動局ＵＥは、バスインターフェース３１と、呼処理部３２と、ベースバンド処理部３３と、ＲＦ部３４と、送受信アンテナ３５とを具備している。
【００３４】
ただし、かかる機能は、ハードウエアとして独立して存在していてもよいし、一部又は全部が一体化していてもよいし、ソフトウエアのプロセスによって構成されていてもよい。
【００３５】
バスインターフェース３１は、呼処理部３２から出力されたユーザデータを他の機能部（例えば、アプリケーションに関する機能部）に転送するように構成されている。また、バスインターフェース３１は、他の機能部（例えば、アプリケーションに関する機能部）から送信されたユーザデータを呼処理部３２に転送するように構成されている。
【００３６】
呼処理部３２は、ユーザデータを送受信するための呼制御処理を行うように構成されている。
【００３７】
ベースバンド信号処理部３３は、ＲＦ部３４から送信されたベースバンド信号に対して、逆拡散処理やＲＡＫＥ合成処理やＦＥＣ復号処理を含むレイヤ１処理と、ＭＡＣ-ｅ処理やＭＡＣ-ｄ処理を含むＭＡＣ処理と、ＲＬＣ処理とを施して取得したユーザデータを呼処理部３２に送信するように構成されている。
【００３８】
また、ベースバンド信号処理部３３は、呼処理部３２から送信されたユーザデータに対してＲＬＣ処理やＭＡＣ処理やレイヤ１処理を施してベースバンド信号を生成してＲＦ部３４に送信するように構成されている。
【００３９】
なお、ベースバンド信号処理部３３の具体的な機能については後述する。ＲＦ部３４は、送受信アンテナ３５を介して受信した無線周波数帯の信号に対して、検波処理やフィルタリング処理や量子化処理等を施してベースバンド信号を生成して、ベースバンド信号処理部３３に送信するように構成されている。また、ＲＦ部３４は、ベースバンド信号処理部３３から送信されたベースバンド信号を無線周波数帯の信号に変換するように構成されている。
【００４０】
図２に示すように、ベースバンド信号処理部３３は、ＲＬＣ処理部３３ａと、ＭＡＣ-ｄ処理部３３ｂと、ＭＡＣ-ｅ処理部３３ｃと、レイヤ１処理部３３ｄとを具備している。
【００４１】
ＲＬＣ処理部３３ａは、呼処理部３２から送信されたユーザデータに対して、レイヤ２の上位レイヤにおける処理（ＲＬＣ処理）を施して、ＭＡＣ-ｄ処理部３３ｂに送信するように構成されている。
【００４２】
ＭＡＣ-ｄ処理部３３ｂは、チャネル識別子ヘッダを付与し、上りリンクにおける送信電力の限度に基づいて、上りリンクにおける送信フォーマットを作成するように構成されている。
【００４３】
図３に示すように、ＭＡＣ-ｅ処理部３３ｃは、Ｅ-ＴＦＣ選択部３３ｃ１と、ＨＡＲＱ処理部３３ｃ２とを具備している。
【００４４】
Ｅ-ＴＦＣ選択部３３ｃ１は、無線基地局ＮｏｄｅＢから送信されたスケジューリング信号（ＡＧ及び相対速度制御信号（ＲＧ：Ｒｅｌａｔｉｖｅ  Ｇｒａｎｔ）等）に基づいて、エンハンスト個別物理データチャネル（Ｅ-ＤＰＤＣＨ）の送信フォーマット（Ｅ-ＴＦＣ）を決定するように構成されている。
【００４５】
また、Ｅ-ＴＦＣ選択部３３ｃ１は、決定した送信フォーマットについての送信フォーマット情報（送信データブロックサイズや、エンハンスト個別物理データチャネル（Ｅ-ＤＰＤＣＨ）と個別物理制御チャネル（ＤＰＣＣＨ）との送信電力比等）をレイヤ１処理部３３ｄに送信すると共に、決定した送信フォーマット情報を、ＨＡＲＱ処理部３３ｃ２に送信する。
【００４６】
かかるスケジューリング信号は、当該移動局ＵＥが在圏しているセルにおいて報知されている情報であり、当該セルに在圏している全ての移動局、又は、当該セルに在圏している特定グループの移動局に対する制御情報を含む。
【００４７】
また、Ｅ-ＴＦＣ選択部３３ｃ１は、共通絶対伝送速度制御信号ＡＧを受信した後、指定された一部のＨＡＲＱプロセスを用いて、通知された送信電力オフセットに基づいて、上りユーザデータを送信するように決定する。
【００４８】
具体的には、Ｅ-ＴＦＣ選択部３３ｃ１は、共通絶対伝送速度制御信号ＡＧを受信した後、無線回線制御局ＲＮＣによって通知されたＨＡＲＱプロセス番号のＨＡＲＱプロセスにおいて上りユーザデータの送信を開始する。
【００４９】
ＨＡＲＱ処理部３３ｃ２は、「Ｎプロセスのストップアンドウエイト」のプロセス管理を行い、各ＨＡＲＱプロセスにおいて、無線基地局ＮｏｄｅＢから受信される送達確認信号（上りデータ用のＡｃｋ/Ｎａｃｋ）及びＥ-ＴＦＣ選択部３３ｃ１により決定された送信フォーマット情報に基づいて、上りリンクにおけるユーザデータ（上りユーザデータ）を送信するように構成されている。
【００５０】
図４に示すように、本実施形態に係る無線基地局ＮｏｄｅＢは、ＨＷＹインターフェース１１と、ベースバンド信号処理部１２と、呼制御部１３と、１つ又は複数の送受信部１４と、１つ又は複数のアンプ部１５と、１つ又は複数の送受信アンテナ１６とを備える。
【００５１】
ＨＷＹインターフェース１１は、無線回線制御局ＲＮＣとのインターフェースである。具体的には、ＨＷＹインターフェース１１は、無線回線制御局ＲＮＣから、下りリンクを介して移動局ＵＥに送信するユーザデータを受信して、ベースバンド信号処理部１２に入力するように構成されている。
【００５２】
また、ＨＷＹインターフェース１１は、無線回線制御局ＲＮＣから、無線基地局ＮｏｄｅＢに対する制御データを受信して、呼制御部１３に入力するように構成されている。
【００５３】
また、ＨＷＹインターフェース１１は、ベースバンド信号処理部１２から、上りリンクを介して移動局ＵＥから受信した上りリンク信号に含まれるユーザデータを取得して、無線回線制御局ＲＮＣに送信するように構成されている。
【００５４】
さらに、ＨＷＹインターフェース１１は、無線回線制御局ＲＮＣに対する制御データを呼制御部１３から取得して、無線回線制御局ＲＮＣに送信するように構成されている。
【００５５】
ベースバンド信号処理部１２は、ＨＷＹインターフェース１１から取得したユーザデータに対して、ＭＡＣ-ｅ処理やレイヤ１処理を施してベースバンド信号を生成して、送受信部１４に転送するように構成されている。
【００５６】
ここで、下りリンクにおけるＭＡＣ-ｅ処理には、ＨＡＲＱ処理やスケジューリング処理や伝送速度制御処理等が含まれる。また、下りリンクにおけるレイヤ１処理には、ユーザデータのチャネル符号化処理や拡散処理等が含まれる。
【００５７】
また、ベースバンド信号処理部１２は、送受信部１４から取得したベースバンド信号に対して、レイヤ１処理やＭＡＣ-ｅ処理を施してユーザデータを抽出して、ＨＷＹインターフェース１１に転送するように構成されている。
【００５８】
ここで、上りリンクにおけるＭＡＣ-ｅ処理には、ＨＡＲＱ処理やスケジューリング処理や伝送速度制御処理やヘッダ廃棄処理等が含まれる。また、上りリンクにおけるレイヤ１処理には、逆拡散処理やＲＡＫＥ合成処理や誤り訂正復号処理等が含まれる。
【００５９】
なお、ベースバンド信号処理部１２の具体的な機能については後述する。また、呼制御部１３は、ＨＷＹインターフェース１１から取得した制御データに基づいて呼制御処理を行うものである。
【００６０】
送受信部１４は、ベースバンド信号処理部１２から取得したベースバンド信号を無線周波数帯の信号（下りリンク信号）に変換する処理を施してアンプ部１５に送信するように構成されている。
【００６１】
また、送受信部１４は、アンプ部１５から取得した無線周波数帯の信号（上りリンク信号）をベースバンド信号に変換する処理を施してベースバンド信号処理部１２に送信するように構成されている。
【００６２】
アンプ部１５は、送受信部１４から取得した下りリンク信号を増幅して、送受信アンテナ１６を介して移動局ＵＥに送信するように構成されている。また、アンプ部１５は、送受信アンテナ１６によって受信された上りリンク信号を増幅して、送受信部１４に送信するように構成されている。
【００６３】
図５に示すように、ベースバンド信号処理部１２は、ＭＡＣ-ｅ及びレイヤ１処理部１２３を具備している。
【００６４】
ＭＡＣ-ｅ及びレイヤ１処理部１２３は、送受信部１４から取得したベースバンド信号に対して、逆拡散処理やＲＡＫＥ合成処理や誤り訂正復号処理やＨＡＲＱ処理等を行うように構成されている。
【００６５】
ただし、これらの機能は、ハードウエアで明確に分けられておらず、ソフトウエアによって実現されていてもよい。
【００６６】
図６に示すように、ＭＡＣ-ｅ及びレイヤ１処理部（上りリンク用構成）１２３は、ＤＰＣＣＨ  ＲＡＫＥ部１２３ａと、ＤＰＤＣＨ  ＲＡＫＥ部１２３ｂと、Ｅ-ＤＰＣＣＨ  ＲＡＫＥ部１２３ｃと、Ｅ-ＤＰＤＣＨ  ＲＡＫＥ部１２３ｄと、ＨＳ-ＤＰＣＣＨ  ＲＡＫＥ部１２３ｅと、ＲＡＣＨ処理部１２３ｆと、ＴＦＣＩデコーダ部１２３ｇと、バッファ１２３ｈ、１２３ｍと、再逆拡散部１２３ｉ、１２３ｎと、ＦＥＣデコーダ部１２３ｊ、１２３ｐと、Ｅ-ＤＰＣＣＨデコーダ部１２３ｋと、ＭＡＣ-ｅ機能部１２３ｌと、ＨＡＲＱバッファ１２３ｏと、ＭＡＣ-ｈｓ機能部１２３ｑとを具備している。
【００６７】
Ｅ-ＤＰＣＣＨ  ＲＡＫＥ部１２３ｃは、送受信部１４から送信されたベースバンド信号内のエンハンスト個別物理制御チャネル（Ｅ-ＤＰＣＣＨ）に対して、逆拡散処理と、個別物理制御チャネル（ＤＰＣＣＨ）に含まれているパイロットシンボルを用いたＲＡＫＥ合成処理を施すように構成されている。
【００６８】
Ｅ-ＤＰＣＣＨデコーダ部１２３ｋは、Ｅ-ＤＰＣＣＨ  ＲＡＫＥ部１２３ｃのＲＡＫＥ合成出力に対して復号処理を施して、送信フォーマット番号やＨＡＲＱに関する情報やスケジューリングに関する情報等を取得してＭＡＣ-ｅ機能部１２３ｌに入力するように構成されている。
【００６９】
Ｅ-ＤＰＤＣＨ  ＲＡＫＥ部１２３ｄは、送受信部１４から送信されたベースバンド信号内のエンハンスト個別物理データチャネル（Ｅ-ＤＰＤＣＨ）に対して、ＭＡＣ-ｅ機能部１２３ｌから送信された送信フォーマット情報（コード数）を用いた逆拡散処理と、個別物理制御チャネル（ＤＰＣＣＨ）に含まれているパイロットシンボルを用いたＲＡＫＥ合成処理を施すように構成されている。
【００７０】
バッファ１２３ｍは、ＭＡＣ-ｅ機能部１２３ｌから送信された送信フォーマット情報（シンボル数）に基づいて、Ｅ-ＤＰＤＣＨ  ＲＡＫＥ部１２３ｄのＲＡＫＥ合成出力を蓄積するように構成されている。
【００７１】
再逆拡散部１２３ｎは、ＭＡＣ-ｅ機能部１２３ｌから送信された送信フォーマット情報（拡散率）に基づいて、バッファ１２３ｍに蓄積されているＥ-ＤＰＤＣＨ  ＲＡＫＥ部１２３ｄのＲＡＫＥ合成出力に対して、逆拡散処理を施すように構成されている。
【００７２】
ＨＡＲＱバッファ１２３ｏは、ＭＡＣ-ｅ機能部１２３ｌから送信された送信フォーマット情報に基づいて、再逆拡散部１２３ｎの逆拡散処理出力を蓄積するように構成されている。
【００７３】
ＦＥＣデコーダ部１２３ｐは、ＭＡＣ-ｅ機能部１２３ｌから送信された送信フォーマット情報（送信データブロックサイズ）に基づいて、ＨＡＲＱバッファ１２３ｏに蓄積されている再逆拡散部１２３ｎの逆拡散処理出力に対して、誤り訂正復号処理（ＦＥＣ復号処理）を施すように構成されている。
【００７４】
ＭＡＣ-ｅ機能部１２３ｌは、Ｅ-ＤＰＣＣＨデコーダ部１２３ｋから取得した送信フォーマット番号やＨＡＲＱに関する情報やスケジューリングに関する情報等に基づいて、送信フォーマット情報（コード数やシンボル数や拡散率や送信データブロックサイズ等）を算出して出力するように構成されている。
【００７５】
また、ＭＡＣ-ｅ機能部１２３ｌは、図７に示すように、受信処理命令部１２３ｌ１と、ＨＡＲＱ管理部１２３ｌ２と、スケジューリング部１２３ｌ３とを具備している。
【００７６】
受信処理命令部１２３ｌ１は、Ｅ-ＤＰＣＣＨデコーダ部１２３ｋから入力された送信フォーマット番号やＨＡＲＱに関する情報やスケジューリングに関する情報を、ＨＡＲＱ管理部１２３ｌ２に送信するように構成されている。
【００７７】
また、受信処理命令部１２３ｌ１は、Ｅ-ＤＰＣＣＨデコーダ部１２３ｋから入力されたスケジューリングに関する情報を、スケジューリング部１２３ｌ３に送信するように構成されている。
【００７８】
さらに、受信処理命令部１２３ｌ１は、Ｅ-ＤＰＣＣＨデコーダ部１２３ｋから入力された送信フォーマット番号に対応する送信フォーマット情報を出力するように構成されている。
【００７９】
ＨＡＲＱ管理部１２３ｌ２は、ＦＥＣデコーダ部１２３ｐから入力されたＣＲＣ結果に基づいて、上りユーザデータの受信処理が成功したか否かについて判定する。そして、ＨＡＲＱ管理部１２３ｌ２は、かかる判定結果に基づいて送達確認信号（Ａｃｋ又はＮａｃｋ）を生成して、ベースバンド信号処理部１２の下りリンク用構成に送信する。また、ＨＡＲＱ管理部１２３ｌ２は、上述の判定結果がＯＫであった場合、ＦＥＣデコーダ部１２３ｐから入力された上りユーザデータを無線回線制御局ＲＮＣに送信する。
【００８０】
また、ＨＡＲＱ管理部１２３ｌ２は、上述の判定結果がＯＫである場合には、ＨＡＲＱバッファ１２３ｏに蓄積されている軟判定情報をクリアする。一方、ＨＡＲＱ管理部１２３ｌ２は、上述の判定結果がＮＧである場合には、ＨＡＲＱバッファ１２３ｏに、上りユーザデータを蓄積する。
【００８１】
また、ＨＡＲＱ管理部１２３ｌ２は、上述の判定結果を受信処理命令部１２３ｌ１に転送し、受信処理命令部１２３ｌ１は、受信した判定結果に基づいて、次のＴＴＩに備えるべきハードウエアリソースをＥ-ＤＰＤＣＨ  ＲＡＫＥ部１２３ｄ及びバッファ１２３ｍに通知し、ＨＡＲＱバッファ１２３ｏにおけるリソース確保のための通知を行う。
【００８２】
また、受信処理命令部１２３ｌ１は、バッファ１２３ｍ及びＦＥＣデコーダ部１２３ｐに対して、ＴＴＩ毎に、バッファ１２３ｍに蓄積されている上りユーザデータがある場合には、ＨＡＲＱバッファ１２３ｏに蓄積されている当該ＴＴＩに該当するプロセスにおける上りユーザデータと新規に受信した上りユーザデータとを加算した後に、ＦＥＣ復号処理を行うように、ＨＡＲＱバッファ１２３ｏ及びＦＥＣデコーダ部１２３ｐに指示する。
【００８３】
スケジューリング部１２３ｌ３は、下りリンク用構成を介して、スケジューリング信号（ＡＧ及びＲＧ等）を送信するように構成されている。
【００８４】
例えば、スケジューリング部１２３ｌ３は、移動局ＵＥに対して、絶対伝送速度制御チャネル（ＡＧＣＨ）を介して送信する共通絶対伝送速度制御信号（ＡＧ）を用いて、エンハンスト個別物理データチャネル（Ｅ-ＤＰＤＣＨ）の個別物理制御チャネル（ＤＰＣＣＨ）に対する送信電力オフセットを通知するように構成されていてもよい。
【００８５】
本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。
【００８６】
図８に示すように、本実施形態に係る無線回線制御局ＲＮＣは、交換局インターフェース５１と、ＲＬＣレイヤ処理部５２と、ＭＡＣレイヤ処理部５３と、メディア信号処理部５４と、無線基地局インターフェース５５と、呼制御部５６とを具備している。
【００８７】
交換局インターフェース５１は、交換局１とのインターフェースである。交換局インターフェース５１は、交換局１から送信された下りリンク信号をＲＬＣレイヤ処理部５２に転送し、ＲＬＣレイヤ処理部５２から送信された上りリンク信号を交換局１に転送するように構成されている。
【００８８】
ＲＬＣレイヤ処理部５２は、シーケンス番号等のヘッダ又はトレーラの合成処理等のＲＬＣ（無線リンク制御：Ｒａｄｉｏ  Ｌｉｎｋ  Ｃｏｎｔｒｏｌ）サブレイヤ処理を施すように構成されている。ＲＬＣレイヤ処理部５２は、ＲＬＣサブレイヤ処理を施した後、上りリンク信号については交換局インターフェース５１に送信し、下りリンク信号についてはＭＡＣレイヤ処理部５３に送信するように構成されている。
【００８９】
ＭＡＣレイヤ処理部５３は、優先制御処理やヘッダ付与処理等のＭＡＣレイヤ処理を施すように構成されている。ＭＡＣレイヤ処理部５３は、ＭＡＣレイヤ処理を施した後、上りリンク信号についてはＲＬＣレイヤ処理部５２に送信し、下りリンク信号については無線基地局インターフェース５５（又は、メディア信号処理部５４）に送信するように構成されている。
【００９０】
メディア信号処理部５４は、音声信号やリアルタイムの画像信号に対して、メディア信号処理を施すように構成されている。メディア信号処理部５４は、メディア信号処理を施した後、上りリンク信号についてはＭＡＣレイヤ処理部５３に送信し、下りリンク信号については無線基地局インターフェース５５に送信するように構成されている。
【００９１】
無線基地局インターフェース５５は、無線基地局ＮｏｄｅＢとのインターフェースである。無線基地局インターフェース５５は、無線基地局ＮｏｄｅＢから送信された上りリンク信号をＭＡＣレイヤ処理部５３（又は、メディア信号処理部５４）に転送し、ＭＡＣレイヤ処理部５３（又は、メディア信号処理部５４）から送信された下りリンク信号を無線基地局ＮｏｄｅＢに転送するように構成されている。
【００９２】
呼制御部５６は、無線リソース管理処理や、レイヤ３シグナリングによるチャネルの設定及び開放処理等を施すように構成されている。ここで、無線リソース管理には、呼受付制御やハンドオーバー制御等が含まれる。
【００９３】
呼制御部５６は、移動局ＵＥが、無線基地局ＮｏｄｅＢから絶対伝送速度制御チャネル（ＡＧＣＨ）を介して共通絶対伝送速度制御信号（ＡＧ）を受信した後、エンハンスト個別物理データチャネルの個別物理制御チャネルに対する送信電力オフセットに基づいて上りユーザデータを送信する一部のＨＡＲＱプロセス（ＨＡＲＱプロセスの初期値）を通知するように構成されている。
【００９４】
図９に、本実施形態における移動局のＨＡＲＱプロセスの使用例を示す。
【００９５】
図９に示すように、移動局１は、ＨＡＲＱプロセスの初期値を＃２とするように無線回線制御局ＲＮＣから通知されているため、ＡＧＣＨを受信しても、すぐに送信せずに、ＨＡＲＱプロセス＃２で上りユーザデータの送信を行う。
【００９６】
同様に、移動局２は、ＨＡＲＱプロセスの初期値を＃４とするように無線回線制御局ＲＮＣから通知されているため、ＡＧＣＨを受信しても、直ぐに送信せずに、ＨＡＲＱプロセス＃４まで待ってから上りユーザデータの送信を行う。
【００９７】
（変更例１）
本発明の変更例１に係る移動通信システムでは、移動局ＵＥは、上述のＨＡＲＱプロセスの初期値（すなわち、移動局ＵＥが、ＡＧを受信後に、上りユーザデータの送信を開始するＨＡＲＱプロセスのＨＡＲＱプロセス番号）を、無線回線制御局ＲＮＣによって通知される代わりに、無線基地局ＮｏｄｅＢによって通知されるように構成されている。
【００９８】
無線基地局ＮｏｄｅＢは、ＤＰＤＣＨやＤＰＣＣＨやＡＧＣＨ等によって、かかるＨＡＲＱプロセスの初期値を、移動局ＵＥに通知するように構成されている。
【００９９】
なお、かかるＨＡＲＱプロセスの初期値は、Ｏ＆Ｍ（Ｏｐｅｒａｔｉｏｎ  ＆  Ｍａｉｎｔｅｎａｎｃｅ）端末を用いて無線基地局ＮｏｄｅＢに設定されていてもよいし、無線基地局ＮｏｄｅＢのシステム設定値として設定されていてもよい。
【図面の簡単な説明】
【０１００】
【図１】本発明の第１の実施形態に係る移動通信システムの移動局の機能ブロック図である。
【図２】本発明の第１の実施形態に係る移動通信システムの移動局におけるベースバンド信号処理部の機能ブロック図である。
【図３】本発明の第１の実施形態に係る移動通信システムの移動局におけるベースバンド信号処理部のＭＡＣ-ｅ処理部の機能ブロック図である。
【図４】本発明の第１の実施形態に係る移動通信システムの無線基地局の機能ブロック図である。
【図５】本発明の第１の実施形態に係る移動通信システムの無線基地局におけるベースバンド信号処理部の機能ブロック図である。
【図６】本発明の第１の実施形態に係る移動通信システムの無線基地局のベースバンド信号処理部におけるＭＡＣ-ｅ及びレイヤ１処理部（上りリンク用構成）の機能ブロック図である。
【図７】本発明の第１の実施形態に係る移動通信システムの無線基地局のベースバンド信号処理部におけるＭＡＣ-ｅ及びレイヤ１処理部（上りリンク用構成）のＭＡＣ-ｅ機能部の機能ブロック図である。
【図８】本発明の第１の実施形態に係る移動通信システムの無線回線制御局の機能ブロック図である。
【図９】本発明の第１の実施形態に係る移動通信システムの動作を説明するための図である。
【図１０】一般的な移動通信システムの全体構成図である。
【図１１】従来の移動通信システムにおいて、バースト的なデータを送信する際の動作を説明するための図である。
【符号の説明】
【０１０１】
１…交換局
ＮｏｄｅＢ…無線基地局
１１…ＨＷＹインターフェース
１２、３３…ベースバンド信号処理部
１２３…ＭＡＣ-ｅ及びレイヤ１処理部
１２３ａ…ＤＰＣＣＨ  ＲＡＫＥ部
１２３ｂ…ＤＰＤＣＨ  ＲＡＫＥ部
１２３ｃ…Ｅ-ＤＰＣＣＨ  ＲＡＫＥ部
１２３ｄ…Ｅ-ＤＰＤＣＨ  ＲＡＫＥ部
１２３ｅ…ＨＳ-ＤＰＣＣＨ  ＲＡＫＥ部
１２３ｆ…ＲＡＣＨ処理部
１２３ｇ…ＴＦＣＩデコーダ部
１２３ｈ、１２３ｍ…バッファ
１２３ｉ、１２３ｎ…再逆拡散部
１２３ｊ、１２３ｐ…ＦＥＣデコーダ部
１２３ｋ…Ｅ-ＤＰＣＣＨデコーダ部
１２３ｌ…ＭＡＣ-ｅ機能部
１２３ｌ１…受信処理命令部
１２３ｌ２…ＨＡＲＱ管理部
１２３ｌ３…スケジューリング部
１２３ｏ…ＨＡＲＱバッファ
１２３ｑ…ＭＡＣ-ｈｓ機能部
１３、５６…呼制御部
１４…送受信部
１５…アンプ部
１６、３５…送受信アンテナ
ＵＥ…移動局
３１…バスインターフェース
３２…呼処理部
３３ａ…ＲＬＣ処理部
３３ｂ…ＭＡＣ-ｄ処理部
３３ｃ…ＭＡＣ-ｅ処理部
３３ｃ１…Ｅ-ＴＦＣＩ選択部
３３ｃ２…ＨＡＲＱ処理部
３３ｄ…レイヤ１処理部
３４…ＲＦ部
ＲＮＣ…無線回線制御局
５１…交換局インターフェース
５２…ＲＬＣレイヤ処理部
５３…ＭＡＣレイヤ処理部
５４…メディア信号処理部
５５…無線基地局インターフェース
【図１】
2006345502.tif 000003
【図２】
2006345502.tif 000004
【図３】
2006345502.tif 000005
【図４】
2006345502.tif 000006
【図５】
2006345502.tif 000007
【図６】
2006345502.tif 000008
【図７】
2006345502.tif 000009
【図８】
2006345502.tif 000010
【図９】
2006345502.tif 000011
【図１０】
2006345502.tif 000012
【図１１】
2006345502.tif 000013